(57)【特許請求の範囲】
【請求項１】
筺体の一部に形成した２個の開口と、これら２個の開口のうちの一方の開口に臨むように装着され筺体内のプリント配線板の回路と電気的に接続されるＩＣカードと、筺体に着脱自在に取り付けられ、筺体に取り付けられることにより前記開口と前記ＩＣカードを覆い、かつ前記２個の開口のうちの他方の開口を通して筺体内のプリント配線板に電力を供給するバッテリーとを備えた携帯電話機において、前記２個の開口の端縁全周に弾性変形可能な１個のシール部材を設け、このシール部材を、筺体に装着した前記バッテリーと前記開口の端縁とで挟み込んだことを特徴とする携帯電話機。
【請求項２】
請求項１記載の携帯電話機において、前記シール部材を化学繊維または熱可塑性エラストマーによって形成するとともに、前記筺体を合成樹脂によって形成することによって、前記シール部材を前記筺体に溶着するか、または前記シール部材を前記筺体に一体に形成したことを特徴とする携帯電話機。
【発明の詳細な説明】
【０００１】
【発明の属する技術分野】
本発明は、例えば個人認証のためＳＩＭ（Subscriber Identity Module）カードと呼ばれているＩＣカードが使用されるＧＳＭ方式の携帯電話機に関し、特に携帯電話機の防水構造または防塵構造に関する。
【０００２】
【従来の技術】
この種の携帯電話機のおいては、ＳＩＭカードが携帯電話機の外部から携帯電話機の筺体に装着でき、装着することにより、筺体内部のプリント配線板の回路と電気的に接続できるように、筺体の一部に、ＳＩＭカードとプリント配線板の端子とを接触させることができる開口が設けられている。また、このＳＩＭカードは携帯電話機が動作中、すなわちＳＩＭカード内が通電中において切断されると、ＳＩＭカード内のデータが破壊されるおそれがある。したがって、バッテリーが筺体に装着され、プリント配線板の回路に電力を供給している状態においては、ＳＩＭカードが筺体から取り外せない構造とする必要があった。このため、バッテリーはＳＩＭカードを覆うようにして筺体に装着され、バッテリーを筺体から取り外しプリント配線板の回路への電力の供給を停止することによって、はじめてＳＩＭカードを筺体から取り外すことができるように構成されている。
【０００３】
【発明が解決しようとする課題】
上述したように、従来の携帯電話機においては、ＳＩＭカードと筺体内のプリント配線板の回路とを電気的に接続するための開口を筺体に設けたり、筺体に装着されたバッテリーの電源端子と筺体内のプリント配線板の接触端子とを導通させるための開口を筺体に設けた構造としている。このため、筺体とバッテリーとの隙間から侵入した水滴や煤塵等がこの開口から筺体内部に侵入し、プリント配線板の回路が短絡したり動作不良を起こすおそれがあった。一方、近年携帯電話機の普及はめざましく、雨中や都市の煤煙の中あるいは海岸の砂塵の中等あらゆる過酷な条件下で使用されることが予想され、廉価で簡単にこれらに対処できる携帯電話機の開発が望まれている。
【０００４】
本発明は上記した従来の要望に応えるためになされたものであり、その目的とするところは、防水や防塵を廉価で簡単に行える携帯電話機を提供することにある。
【０００５】
【課題を解決するための手段】
この目的を達成するために、請求項１に係る発明は、筺体の一部に形成した２個の開口と、これら２個の開口のうちの一方の開口に臨むように装着され筺体内のプリント配線板の回路と電気的に接続されるＩＣカードと、筺体に着脱自在に取り付けられ、筺体に取り付けられることにより前記開口と前記ＩＣカードを覆い、かつ前記２個の開口のうちの他方の開口を通して筺体内のプリント配線板に電力を供給するバッテリーとを備えた携帯電話機において、前記２個の開口の端縁全周に弾性変形可能な１個のシール部材を設け、このシール部材を、筺体に装着した前記バッテリーと前記開口の端縁とで挟み込んだものである。
したがって、形状の異なる２個のシール部材が不要になる。
【０００６】
また、請求項２に係る発明は、請求項１に係る発明において  、前記シール部材を化学繊維または熱可塑性エラストマーによって形成するとともに、前記筺体を合成樹脂によって形成することによって、前記シール部材を前記筺体に溶着するか、あるいは前記シール部材を前記筺体に一体に形成したものである。
したがって、シール部材が確実に筺体に固定される。
【０００９】
【発明の実施の形態】
以下、本発明の実施の形態を図を用いて説明する。図１は本発明に係る携帯電話機の要部を分解して示す底面側から視た斜視図である。図２は同じく要部の断面図であって、同図（ａ）はバッテリーを装着する状態を示し、同図（ｂ）はバッテリーを装着した状態を示す。
図１において、全体を符号１で示す携帯電話機は、略密閉箱状の筺体２と、この筺体２内に実装されたプリント配線板３と、個人認証のためのＳＩＭカード４と、プリント配線板３の回路に電力を供給するバッテリー５とによって概略構成されている。
【００１０】
筺体２は、共に合成樹脂によって形成されたアッパーケース１０とロアーケース１１とからなり、このうちアッパーケース１０は上方全体が開口した浅底の箱状に形成され、このアッパーケース１０内にプリント配線板３が実装されている。ロアーケース１１の図中略右半分の全体には、凹嵌状に形成されたバッテリー収納部１５が設けられ、このバッテリー収納部１５の右端に立設された立壁１６の上端には、一対の係合片１７，１７がバッテリ収納部１５側に水平に突設されている。
【００１１】
バッテリー収納部１５の底部１８には、略長方形の開口１９と細長い長方形の開口２０が設けられ、ロアーケース１１のバッテリー収納部１５の境界部には、矢印Ａ−Ｂ方向に摺動自在なロックボタン２２が設けられ、左端側にはアンテナ２３が設けられている。筺体２は、アッパーケース１０の開口側端面と、ロアーケース１１の凹嵌部１５の底部１８側とを突き合わすようにして合体されている。図２（ａ）に示すように、プリント配線板３の開口１９に対応した部位には、接触端子２４ａが設けられ、開口２０に対応した部位には接触端子２４ｂが設けられている。２５はＳＩＭカード４をプリント配線板３に固定する固定具である。
【００１２】
バッテリー５の両端には、係合凸条２６，２７が階段状に突設され、一方の係合凸条２７側の下端には電源端子２８が突設されている。バッテリー収納部１５の開口１９，２０の端縁全周には、ゴム材または不織布等の弾性変形可能な無端状の２個のシール部材３０，３１が、両面テープまたは接着剤によって貼着されている。
【００１３】
このような構成において、図１に示すように、バッテリー５を筺体２のバッテリー収納部１５から取り外した状態にし、図２（ａ）に示すように、ＳＩＭカード４を筺体２の開口１９に臨ませる。固定具２５によってプリント配線板３に固定することにより、ＳＩＭカード４の端子（図示せず）が接触端子２４ａと電気的に接続される。バッテリー５の一方の係合凸条２６を筺体２の係合片１７の下端に係合させ、この係合片１７を回動中心として、図中反時計方向に回動させる。同図（ｂ）に示すように、バッテリー５の電源端子２８が他方の開口２０に臨むので、この電源端子２８が接触端子２４ｂに接触し、バッテリー５からプリント配線板３に電力が供給され、ＳＩＭカード４内が通電状態になる。
【００１４】
ロックボタン２２を図中矢印Ａ方向に摺動させ、このロックボタン２２をバッテリー５の他方の係合凸条２７に係合させることにより、バッテリー５が筺体２のバッテリー収納部１５に装着される。このとき、バッテリー５の底面によってシール部材３０，３１をこのシール部材３０，３１の接着面に対して垂直上方から押圧するので、シール部材３０，３１は弾性変形してバッテリー５と開口１９，２０の端縁とに挟み込まれる。
【００１５】
したがって、開口１９，２０はシール部材３０，３１によって外部から密閉されるので、筺体２とバッテリー５の隙間から侵入する水滴や煤塵等が筺体２の内部に侵入するのを防止できる。しかも、上述したように、シール部材３０，３１はバッテリー５の底面によってシール部材３０，３１の接着面に対して垂直上方から押圧されているので、両面テープ等の簡単な方法で接着しても剥離するのが防止され、防水、防塵等が廉価で確実に行われる。また、シール部材３０，３１をゴム材または不織布等の弾性変形可能な材料によって形成したことにより、シール部材３０，３１の弾性率や厚さを調整することで、筺体２とバッテリー５の隙間から侵入する水滴や煤塵等に対する防水性、防塵性を比較的簡単に向上させることができる。
【００１６】
図３は本発明の第２の実施の形態を示すもので、同図（ａ）はバッテリーとＳＩＭカードを取り除いた状態の筺体の斜視図、同図（ｂ）は要部の断面図である。
この第２の実施の形態が上述した第１の実施の形態と異なる点は、筺体２の２個の開口１９，２０の端縁に接着したシール部材を個々に分けることなく、１個のシール部材４０を用いて行った点にある。すなわち、無端状に形成されたシール部材４０を２個の開口１９，２０の間でたすき掛けするようにして、全体が平面視略８の字状になるようして２個の開口１９，２０の端縁全周に配設したものである。このように構成することにより、形状の異なる２個のシール部材を１個とすることができるので、部品点数が削減される。
【００１７】
また、シール部材３０，３１，４０を合成樹脂と互いの溶着性の良好な化学繊維または熱可塑性エラストマーとすることにより、シール部材３０，３１，４０を筺体２に溶着によって取り付けることができるだけでなく、インサート成形によって一体形成することもできる。したがって、シール部材３０，３１，４０ヲ接着する方法に比べて組立工数が削減されるだけでなく、シール部材３０，３１，４０と筺体２との間の密着性が向上するので、防水や防塵がより確実に行える。
【００１８】
開口１９に臨ませるカードをＳＩＭカード４としたが、他のＩＣカードとしてもよい。
【００１９】
【発明の効果】
以上説明したように請求項１に係る発明によれば、防水や防塵を廉価で簡単に行えるとともに、部品点数を削減できる。
【００２０】
また、請求項２に係る発明によれば、組立工数が削減されるだけでなく、防水や防塵がより確実に行える。
【図面の簡単な説明】
【図１】  本発明に係る携帯電話機の要部を分解して示す底面側から視た斜視図である。
【図２】  本発明に係る携帯電話機の要部の断面図であって、同図（ａ）はバッテリーを装着する状態を示し、同図（ｂ）はバッテリーを装着した状態を示す。
【図３】  本発明の第２の実施の形態を示すもので、同図（ａ）はバッテリーとＳＩＭカードを取り除いた状態の筺体の斜視図、同図（ｂ）は要部の断面図である。
【符号の説明】
１…携帯電話機、２…筺体、３…プリント配線板、４…ＳＩＭカード、５…バッテリー、１５…バッテリー収納部、１９，２０…開口、２２…ロックボタン、２４ａ，２４ｂ…接触端子、２６，２７…係合凸条、２８…電源端子、３０，３１，４０…シール部材。
【図１】
0004337261.tif 000002
【図２】
0004337261.tif 000003
【図３】
0004337261.tif 000004